(57)【要約】      （修正有）【課題】肩掛け式及び手持ち式草刈り払い機の中で金属円盤刃体式が多く使用されているが、いずれも刃先を尖らせ円盤を回転させ草を切断するものであるが、作業中石や土などに衝突すると刃先が壊れ切断能力がいちじるしく下がり作業が困難になる。【解決手段】本考案は図面に示した様に切断刃体の場所を円盤の鋸刃のＶ字部で草を挟ませ叩き千切る技術である。円盤の外周部は水平で石や土などに接触する部分は、水平部分になるため刃の耐久性が上がるのである。鋸刃１個の外周部が１０ｍｍと広いのであまり磨り減ることはないが、磨り減った場合刃体を研磨して元の状態にすることが可能である。  石や土などを恐れず草刈り作業ができるのが最大の特徴である。【選択図】図１
2008125509.tif 000002
【特許請求の範囲】
【請求項１】
肩掛け式及び手持ち式ディスク式金属丸鋸刃において石や土などに接触しても切断能力が下がらない技術。
【請求項２】
肩掛け式及び手持ち式ディスク式金属丸鋸刃において刃体（回転円盤）の構図。
【発明の詳細な説明】
【技術分野】
【０００１】  本発明は肩掛け式及び手持ち式草刈り払い機に関する技術である。
【背景技術】
【０００２】  従来の草刈り払い機鉄円板式には直径２３ｃｍ〜２５ｃｍほどがある。刃体の形状は多種多様であるが、いずれも刃の先端を尖らせ刃体を回転させ草を刈り取るものである。
【発明が解決しようとする課題】
【０００３】  現在では切断刃の先端部に硬い金属（チップ）を付けた物が主流となっているが、それでも石や土に接触した場合、刃先が壊れ作業能率がいちじるしく下がることがある。石や土に接触しても作業能率が下がらない刃体を発明することとした。
【課題を解決するための手段】
【０００４】  本考案は円盤の円周内に切断刃を低刃（符号▲１▼）、中刃（符号▲２▼）、高刃（符号▲３▼）の三組を八ヶ所作り、切断方式を変更した。
【０００５】  刃体の形状は図面で示した通り、高刃から低刃間の傾斜を長く深くし、刃と刃の間へ草を入り込みやすくし、刃の高さを三段階とした。
【０００６】  切断部分は刃の先端ではなく、刃と刃の間のＶ字部（符号▲４▼）へ草を挟ませ草を叩き千切る技術である。
【０００７】  切断時、刃体円盤が高刃から低刃の傾斜にそって草が吸い込まれる様に入り込む。
この作用によって切断が可能になるのである。
【０００８】  それぞれ高刃、中刃、低刃の外周部（符号▲５▼）は水平で１０ｍｍ前後とし、刃の回転時、石や土などに接触するのは、刃の外周部なので、切断能力が下がることはないのである。
【０００９】  長期使用し、刃体の外周部が磨り減り、刃体の深さが浅くなった場合は、刃体を研磨し元の形状にすることが可能である。円盤の直径が２０ｃｍほどになるまで使用可能である。
【発明の効果】
【００１０】  本考案により、草刈り払い機の刃先が石や土などの接触で破損することを恐れず、草刈り払い作業を実施することが可能になるのである。
【００１１】  耐久性は、現在使用されている金属盤刈り払い体の１０枚以上の価値があると考えられる。
【図面の簡単な説明】
【００１２】
【図１】  本考案、異形状丸鋸刃体の拡大図である。
【図２】  本考案、異形状丸鋸刃体の全体図である。
【符号の説明】
【００１３】▲１▼  低刃
▲２▼  中刃
▲３▼  高刃
▲４▼  Ｖ字部
▲５▼  刃の外周部
▲６▼  草刈り払い機本体への取付け穴
▲７▼  刃体回転方向
【図１】
2008125509.tif 000003
【図２】
2008125509.tif 000004
【手続補正書】
【提出日】平成19年3月28日(2007.3.28)
【手続補正１】
【補正対象書類名】明細書
【補正対象項目名】０００８
【補正方法】変更
【補正の内容】
【０００８】高刃の外周部はほぼ水平で巾１５ｍｍとし刃の回転時石や土に接触するのは高刃の外周部で中刃低刃は損傷しない中刃低刃の外周部は傾斜を付けあるがこれは刃のＶ字部之草が入り込み易くするためである
【手続補正２】
【補正対象書類名】明細書
【補正対象項目名】００１０
【補正方法】変更
【補正の内容】
【００１０】（１）本考案は鋸刃の先が石や土などの接触で破損する事を恐れず草刈払い作業を実地する事が出来る（２）Ｖ字部で草を切断るから切断刃は消耗しない（３）やわらかい草も硬い草もきれいに刈取る事が出来る（４）現在使用されているチップソーの１０倍以上使用出来ると考えられる（５）鋸刃１周内に異形状刃部を８ヶ所もうけ図１Ｖ字形部Ｂ部で草を挟みＡ部で草を切断する原理である刃先で草を刈ると言う観念から脱皮した正に究極の技術である
【手続補正３】
【補正対象書類名】明細書
【補正対象項目名】００１２
【補正方法】変更
【補正の内容】
【００１２】
【図１】本考案異形状丸鋸刃の縮小図
【図２】草刈幾全体図
【手続補正４】
【補正対象書類名】図面
【補正対象項目名】全図
【補正方法】変更
【補正の内容】
【図１】
2008125509.tif 000005
【図２】
2008125509.tif 000006
【手続補正書】
【提出日】平成19年4月9日(2007.4.9)
【手続補正１】
【補正対象書類名】明細書
【補正対象項目名】０００８
【補正方法】変更
【補正の内容】
【０００８】高刃の外周部は低刃の方行え少し傾斜で巾１５ｍｍとし刃の回転時石や土に接触するのは高刃の外周部で中刃低刃は損傷しない中刃低刃の外周部は傾斜を付けあるがこれは刃のＶ字部之草が入り込み易くするためである
【手続補正２】
【補正対象書類名】明細書
【補正対象項目名】００１０
【補正方法】変更
【補正の内容】
【００１０】（１）本考案は鋸刃の先が石や土などの接触で破損する事を恐れず草刈払い作業を実地する事が出来る（２）Ｖ字部で草を切断るから切断刃は消耗しない（３）やわらかい草も硬い草もきれいに刈取る事が出来る（４）現在使用されているチップソーの１０倍以上使用出来ると考えられる（５）鋸刃１周内に異形状刃部を８ヶ所もうけ図１Ｖ字形部Ｂ部で草を挟みＡ部で草を切断する原理である刃先で草を刈ると言う観念から脱皮した正に究極の技術である
【手続補正３】
【補正対象書類名】明細書
【補正対象項目名】００１２
【補正方法】変更
【補正の内容】
【００１２】
【図１】本考案異形状丸鋸刃の縮小図
【図２】草刈幾全体図  切断刃の形状は中刃は高刃の円周内から４ｍｍ低く低刃は中刃の円周内より４ｍｍ低い
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
草刈機、肩掛式及び手持式金属鋸刃、石や土などを切ってしまっても従来品の様に切断能力が落ちない技術
草刈機における回転刃の形状を主刃、中刃、（中刃は主刃と主刃の中間刃）を鋸刃体１周内に８ヶ所もうけ主刃の先端外周部を８ｍｍ〜１０ｍｍと広くし石など硬い物を切ってしまっても主刃の損傷が少ないので中間刃の損傷を遅らす事が出来る。
刃の半径長はいずれも同じである。
刃の損傷を少なくした形状に成功したことを特徴とする回転刃
【手続補正２】
【補正対象書類名】明細書
【補正対象項目名】全文
【補正方法】変更
【補正の内容】
【発明の詳細な説明】
【技術分野】
【０００１】本考案は肩掛式及び手持式草刈払機に間する鋸刃の技術である
【背景技術】
【０００２】従来の草刈払い機丸鋸刃は刃先の損傷がいちぢるしく早く其のため現在では刃先にチップ、（人工ダイヤ）を付けたものが主流となっている。しかしながらたとえチップ付と言えども作業中石などを切ってしまうとチップがちぎれたり磨り減ったりて切断能力が落ちる。
【発明が解決しようとする課題】
【０００３】チップ付きでなくても長時間草刈作業が出来る鋸刃を考案する必用がある。
【課題を解決するための手段】
【０００４】本考案は円盤鋸刃の円周内に切断刃を、主刃中刃の部分を８ヶ所もうけ主刃の外周部を８ｍｍ〜１０ｍｍとし後方えやや傾斜をもたせ主刃と主刃の間（中間刃）の損傷を遅くする事に成功した。
【０００５】主刃の外周部は、８ｍｍ〜１０ｍｍと広いので損傷が少なく其のため刃全体の損傷が少ない
【０００６】主刃の先端部えチップを付ければよりいっそう耐久性が高上する事も考えられる。
チップ無しの刃体ではもっとも優れた形状もった刃体と考えられる。
【０００７】長時間供用し刃全体が摩り減り、刃の深さが無くなった場合家庭用グラインダーで簡単に作業可能状態にする事が出来る。
現在使われている丸鋸刃の直径は、２５ｃｍ〜２３ｃｍであるが円盤の直径が２０ｃｍまで使用できる
【発明の効果】
【０００８】本考案により鋸刃の刃先が破損することが少なくなった。
【０００９】耐久性はこれまでのチップ無し鋸刃の１０倍以上である。
【００１０】
2008125509.tif 000007草絡み付き防止具を取付ける事が出来る。
【図面の簡単な説明】
【００１１】
【図１】草刈機全体図
【図２】本考案の異形状丸鋸刃の半体図
2008125509.tif 000008
【符号の説明】
【００１２】▲１▼主刃
▲２▼中間刃
2008125509.tif 000009
【手続補正３】
【補正対象書類名】図面
【補正対象項目名】全図
【補正方法】変更
【補正の内容】
【図１】
2008125509.tif 000010
【図２】
2008125509.tif 000011
【図３】
2008125509.tif 000012
【図４】
2008125509.tif 000013